(57)【要約】      （修正有）【課題】情報表示装置のコストを低減するための広告をより効果的に行うこと。【解決手段】撮像装置１は、出力部１８と、広告表示条件判定部４３と、広告表示制御部４４と、画像表示制御部４５とを備える。出力部１８は、画像を表示する。広告表示条件判定部４３は、撮影のための操作の状態に基づいて、出力部１８に広告を表示する条件に合致するか否かを判定する。広告表示制御部４４は、広告表示条件判定部４３の判定結果に基づいて、広告の表示形態を設定する。画像表示制御部４５は、広告表示制御部４４によって設定された表示形態で、撮影に関連する画像と対応して出力部１８に広告を表示させる。【選択図】図２
2015162048.tif 000002
【特許請求の範囲】
【請求項１】
画像を表示する表示手段と、
撮影のための操作の状態に基づいて、前記表示手段に広告を表示する条件に合致するか否かを判定する広告表示条件判定手段と、
前記広告表示条件判定手段の判定結果に基づいて、前記広告の表示形態を設定する広告表示制御手段と、
前記広告表示制御手段によって設定された表示形態で、撮影に関連する画像と対応して前記表示手段に広告を表示させる画像表示制御手段と、
を備えることを特徴とする情報表示装置。
【請求項２】
前記広告表示条件判定手段は、前記表示手段に広告を表示する条件として、撮影を行うためのモードに設定されているか否かを判定し、
前記広告表示制御手段は、前記広告表示条件判定手段によって撮影を行うためのモードに設定されていると判定された場合に、表示領域を分割し、ライブビュー画像と広告の画像とを異なる表示領域に表示する表示形態に設定することを特徴とする請求項１に記載の情報表示装置。
【請求項３】
前記画像表示制御手段は、前記広告表示条件判定手段によって撮影を行うためのモードに設定されていると判定され、前記広告表示制御手段によって表示領域を分割し、ライブビュー画像と広告の画像とを異なる表示領域に表示した後、シャッターボタンが操作されることに応答して、広告を一時的に消去することを特徴とする請求項２に記載の情報表示装置。
【請求項４】
前記広告表示条件判定手段は、前記表示手段に広告を表示する条件として、撮影を行うためのシャッターボタンが半押しされているか否かを判定し、
前記広告表示制御手段は、前記広告表示条件判定手段によって撮影を行うためのシャッターボタンが半押しされていると判定された場合に、表示された撮像画像に重畳して、広告の画像を表示する表示形態に設定することを特徴とする請求項１から３のいずれか１項に記載の情報表示装置。
【請求項５】
前記広告表示条件判定手段は、前記表示手段に広告を表示する条件として、撮影を行うためのシャッターボタンが全押しされているか否かを判定し、
前記広告表示制御手段は、前記広告表示条件判定手段によって撮影を行うためのボタンが全押しされていると判定された場合に、撮像画像と広告の画像とを切り替えて表示する表示形態に設定することを特徴とする請求項１から４のいずれか１項に記載の情報表示装置。
【請求項６】
画像を表示する表示手段と、
撮影のための操作を行う入力手段と、
前記表示手段に広告を表示させる表示制御手段と、
前記入力手段によって撮影のための操作が行われたか否かを判定する操作判定手段と、
を備え、
前記表示制御手段は、広告が表示されている最中に、前記操作判定手段によって撮影のための操作が行われたと判定された場合に、広告を一時的に消去することを特徴とする情報表示装置。
【請求項７】
画像を表示する表示手段を備える情報表示装置に用いられる情報表示方法であって、
撮影のための操作の状態に基づいて、前記表示手段に広告を表示する条件に合致するか否かを判定する広告表示条件判定ステップと、
前記広告表示条件判定ステップにおける判定結果に基づいて、前記広告の表示形態を設定する広告表示制御ステップと、
前記広告表示制御ステップにおいて設定された表示形態で、撮影に関連する画像と対応して前記表示手段に広告を表示させる画像表示制御ステップと、
を含むことを特徴とする情報表示方法。
【請求項８】
画像を表示する表示手段を備える情報表示装置に用いられるコンピュータに、
撮影のための操作の状態に基づいて、前記表示手段に広告を表示する条件に合致するか否かを判定する広告表示条件判定機能と、
前記広告表示条件判定機能の判定結果に基づいて、前記広告の表示形態を設定する広告表示制御機能と、
前記広告表示制御機能によって設定された表示形態で、撮影に関連する画像と対応して前記表示手段に広告を表示させる画像表示制御機能と、
を実現させることを特徴とするプログラム。
【発明の詳細な説明】
【技術分野】
【０００１】
本発明は、情報表示装置、情報表示方法及びプログラムに関する。
【背景技術】
【０００２】
従来、撮像装置本体、あるいは、それに内蔵されるコンテンツデータ（地図データ等）のコストを低減するために、撮像装置において広告を表示する技術が知られている。
例えば、特許文献１に記載のカメラでは、カメラの起動時、画像等の再生時あるいは通信時等に、一定時間間隔等で広告を表示することとしている。
【先行技術文献】
【特許文献】
【０００３】
【特許文献１】特開２００３−２７４２７６号公報
【発明の概要】
【発明が解決しようとする課題】
【０００４】
しかしながら、特許文献１に記載された技術では、一定時間間隔で広告が表示されるため、ユーザが広告に注目するとは限らず、広告効果が高くない上、無用な消費電力が消費される可能性があった。
即ち、従来の技術においては、撮像装置等の情報表示装置のコストを低減するための広告の効果が十分なものではなかった。
なお、常に広告が表示されていると、ユーザが煩わしく感じたり、撮影動作や再生動作を妨げたりする虞もある。
【０００５】
本発明は、このような状況に鑑みてなされたものであり、情報表示装置のコストを低減するための広告をより効果的に行うことを目的とする。
【課題を解決するための手段】
【０００６】
上記目的を達成するため、本発明の一態様の情報表示装置は、
画像を表示する表示手段と、
撮影のための操作の状態に基づいて、前記表示手段に広告を表示する条件に合致するか否かを判定する広告表示条件判定手段と、
前記広告表示条件判定手段の判定結果に基づいて、前記広告の表示形態を設定する広告表示制御手段と、
前記広告表示制御手段によって設定された表示形態で、撮影に関連する画像と対応して前記表示手段に広告を表示させる画像表示制御手段と、
を備えることを特徴とする。
【発明の効果】
【０００７】
本発明によれば、情報表示装置のコストを低減するための広告をより効果的に行うことが可能となる。
【図面の簡単な説明】
【０００８】
【図１】本発明の一実施形態に係る撮像装置のハードウェアの構成を示すブロック図である。
【図２】撮像装置の機能的構成のうち、主制御処理を実行するための機能的構成を示す機能ブロック図である。
【図３】広告ＤＢに記憶される広告のデータのデータ構造例を示す図である。
【図４】広告の表示形態例を示す模式図である。
【図５】撮像装置が実行する主制御処理の流れの一例を示すフローチャートである。
【図６】広告表示処理の流れの一例を示すフローチャートである。
【発明を実施するための形態】
【０００９】
以下、本発明の実施形態について、図面を用いて説明する。
【００１０】
［構成］
図１は、本発明の一実施形態に係る撮像装置１のハードウェアの構成を示すブロック図である。
撮像装置１は、本発明の情報表示装置の一例であり、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、測位部２０と、方位検出部２１と、通信部２２と、ドライブ２３と、を備えている。
【００１２】
ＣＰＵ１１は、ＲＯＭ１２に記録されているプログラム、または、記憶部１９からＲＡＭ１３にロードされたプログラムに従って各種の処理を実行する。例えば、ＣＰＵ１１は、後述する主制御処理のためのプログラムに従って、主制御処理を実行する。
【００１３】
ＲＡＭ１３には、ＣＰＵ１１が各種の処理を実行する上において必要なデータ等も適宜記憶される。例えば、ＲＡＭ１３には、広告のデータや、主制御処理において生成される各種パラメータが記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、測位部２０、方位検出部２１、通信部２２及びドライブ２３が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。本実施形態においては撮像素子には、Ｂａｙｅｒ配列の色フィルタが装着されている。撮像素子は、一定時間毎に、その間に入射されて蓄積された被写体像の光信号を光電変換（撮像）して、その結果得られるアナログの電気信号をＡＦＥに順次供給する。
ＡＦＥは、このアナログの電気信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１等に適宜供給される。
【００１８】
入力部１７は、シャッターボタンを含む各種釦等で構成され、ユーザの指示操作に応じて各種情報を入力する。
出力部１８は、ディスプレイやスピーカ等で構成され、画像や音声を出力する。
記憶部１９は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
測位部２０は、ＧＰＳ（Ｇｌｏｂａｌ  Ｐｏｓｉｔｉｏｎｉｎｇ  Ｓｙｓｔｅｍ）等の測位システムを用いて、撮像装置１の現在位置を検出する。なお、ＧＰＳを用いることの他、複数の地上基地局からの電波を受信することにより、撮像装置１の測位を行うこととしてもよい。
方位検出部２１は、地磁気センサを備え、撮像装置１が向いている方位を検出する。
通信部２２は、インターネットを含むネットワークを介して他の装置（図示せず）との間で行う通信を制御する。
【００１９】
ドライブ２３には、磁気ディスク、光ディスク、光磁気ディスク、あるいは半導体メモリ等よりなる、リムーバブルメディア３１が適宜装着される。ドライブ２３によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２０】
図２は、このような撮像装置１の機能的構成のうち、主制御処理を実行するための機能的構成を示す機能ブロック図である。
主制御処理とは、撮像装置１の全体的な動作を制御するための一連の処理であり、撮影のための操作の状態（シャッタボタンの押下状態等）に応じて、種々の形態で出力部１８に広告を表示させる処理を含んでいる。
主制御処理が実行される場合、図２に示すように、ＣＰＵ１１において、撮像制御部４１と、画像取得部４２と、広告表示条件判定部４３と、広告表示制御部４４と、画像表示制御部４５と、装置管理部４６と、装置情報取得部４７と、地図表示制御部４８とが機能する。
ただし、図２は例示であり、ＧＡ（Ｇｒａｐｈｉｃｓ  Ａｃｃｅｌｅｒａｔｏｒ）等の画像処理を行うハードウェアを備えて、ＣＰＵ１１の機能の少なくとも一部を、これに移譲してもよい。
【００２１】
主制御処理が実行される場合、記憶部１９の一領域として設けられた取得画像記憶部５１と、広告データベース（広告ＤＢ）５２と、地図情報データベース（地図情報ＤＢ）５３とが用いられる。
取得画像記憶部５１においては、撮像部１６から出力され、画像取得部４２により取得された撮像画像のデータが記憶されている。
広告ＤＢ５２においては、撮像装置１で表示される各種広告のデータ（広告の画像等）が記憶されている。広告ＤＢ５２に記憶される広告のデータは、撮像装置１の出荷時に記憶しておくことや、通信部２２を介して、ネットワークを経由して取得されたものを記憶すること等が可能である。
【００２２】
図３は、広告ＤＢ５２に記憶される広告のデータのデータ構造例を示す図である。
図３に示すように、広告のデータには、広告の識別番号、広告が関連する位置（店舗の所在地等）、広告のカテゴリ、広告の内容（テキストあるいは画像等）、クーポン情報、広告主の情報、広告が表示される地図の階層（縮尺の範囲）が含まれている。
例えば、広告ＤＢ５２の第１エントリには、広告の識別番号「ＡＤ００１」、広告が関連する位置「Ｘ１，Ｙ１」、広告のカテゴリ「スポーツ」、広告の内容「ｘｘｘｘ」、クーポン情報「１０％オフ」、広告主「○○」、広告が表示される地図の階層「１／２５００以上」の広告のデータが記憶されている。
図２に戻り、地図情報ＤＢ５３においては、撮像装置１で表示される地図情報のデータが記憶されている。地図情報ＤＢ５３に記憶される地図情報のデータは、撮像装置１の出荷時に記憶しておくことや、通信部２２を介して、ネットワークを経由して取得されたものを記憶すること等が可能である。
【００２３】
撮像制御部４１は、各種撮像条件を設定し、撮像部１６における撮像の動作を制御する。
画像取得部４２は、撮像部１６から出力された撮像画像のデータを取得する。その後、画像取得部４２は、撮像画像のデータを取得画像記憶部５１に記憶させる。また、画像取得部４２は、撮像部１６から出力された撮像画像のデータや、取得画像記憶部５１から読み出した撮像画像のデータを画像表示制御部４５に出力する。
【００２４】
広告表示条件判定部４３は、撮像装置１における撮影のための操作の状態（以下、適宜「撮影操作状態」と呼ぶ）が、出力部１８に広告を表示するための条件（以下、適宜「広告表示条件」と呼ぶ）に合致するか否かを判定する。そして、広告表示条件判定部４３は、広告表示条件の判定結果を広告表示制御部４４に出力する。
広告表示制御部４４は、広告表示条件判定部４３によって、撮影操作状態が広告表示条件に合致している旨の判定結果が入力されている場合に、現在の撮影操作状態に応じた表示形態で広告を表示させるための指示（以下、「広告表示指示」と呼ぶ）を画像表示制御部４５に出力する。
撮影操作状態に応じた広告の表示形態としては、例えば、撮像画像に広告の画像を重畳して表示する、ディスプレイの画面領域を分割し、縮小された撮像画像と広告の画像とを異なる領域に表示する、撮像画像と広告の画像とを切り替えて表示するといったことが可能である。
【００２５】
図４は、広告の表示形態例を示す模式図である。
ただし、図４に示す表示形態例に限られず、広告の画像を表示する位置や大きさ等は適宜変更することができる。
広告の非表示状態においては、図４（ａ）に示すように、撮像画像がディスプレイの全画面に表示されている。
これに対し、ディスプレイの画面領域を分割し、縮小された撮像画像と広告の画像とを異なる領域に表示する場合、図４（ｂ）に示すように、撮像画像が縮小して左上に寄せて表示され、ディスプレイの右及び下の領域に広告の画像が表示される。
また、撮像画像と広告の画像とを切り替えて表示する場合、図４（ｃ）に示すように、広告の画像がディスプレイに全画面表示される。
さらに、撮像画像に広告の画像を重畳して表示する場合、図４（ｄ）に示すように、ディスプレイに全画面表示された撮像画像に重畳して、ディスプレイの中央に全画面より小さい広告の画像が表示される。
【００２６】
画像表示制御部４５は、画像取得部４２から入力された撮像画像のデータに基づいて、撮像画像を出力部１８のディスプレイに表示させる。このとき、画像表示制御部４５は、広告表示制御部４４から広告表示指示が入力されていない場合には、撮像画像のみを出力部１８のディスプレイに全画面表示させる。一方、広告表示制御部４４から広告表示指示が入力されている場合には、画像表示制御部４５は、広告表示指示によって指定された表示形態で、撮像画像に加えて広告の画像を出力部１８のディスプレイに表示させる。
【００２７】
装置管理部４６は、入力部１７を介して入力された各種操作に応じて、撮像装置１の設定や各種動作の制御を行う。具体的には、装置管理部４６は、撮像時の制御及び地図情報の表示制御以外の各種制御を実行する。例えば、装置管理部４６は、撮像装置１の設定のためのメニュー操作や、撮像装置１における各種パラメータの設定に関する制御を実行する。
装置情報取得部４７は、測位部２０及び方位検出部２１から撮像装置１の現在位置及び撮像部１６が向いている現在の方位を取得する。そして、装置情報取得部４７は、取得した現在位置及び現在の方位を地図表示制御部４８に出力する。
地図表示制御部４８は、入力部１７を介して入力される縮尺、装置情報取得部４７から入力される撮像装置１の現在位置及び現在の方位に基づいて、地図情報ＤＢ５３を参照し、撮像装置１周辺の地図を表示する。即ち、地図表示制御部４８は、撮像装置１の撮像部１６が所定の方位に向けられた場合に、撮像装置１に対する当該所定の方位の地図情報のデータを地図情報ＤＢ５３から読み出し、ユーザによって指定された縮尺で地図を表示する。
【００２８】
［動作］
次に、動作を説明する。
［主制御処理］
初めに、撮像装置１が実行する主制御処理（メインフロー）について説明する。
図５は、図２の機能構成を有する図１の撮像装置１が実行する主制御処理の流れの一例を示すフローチャートである。
主制御処理は、撮像装置１の電源投入と共に開始され、電源が切断されるまで繰り返し実行される。
【００２９】
図５において、主制御処理が開始されると、ステップＳ１において、装置管理部４６は、撮像装置１のイニシャライズを実行する。
ステップＳ２において、装置情報取得部４７は、撮像装置１の現在位置及び現在の方位を取得する。
ステップＳ３において、装置管理部４６は、撮像装置１に設定されている現在のモードを判定する。即ち、撮像装置１は、撮影モード、地図表示モード及びその他の各種モードに設定可能であり、ステップＳ３において、装置管理部４６は、撮像装置１に設定されている現在のモードが、撮影モードであるか、地図表示モードであるか、あるいは、その他の各種モードであるかの判定を行う。
【００３０】
ステップＳ３において、現在のモードが地図表示モードであると判定された場合、処理はステップＳ４に移行する。
また、ステップＳ３において、現在のモードがその他の各種モードであると判定された場合、処理はステップＳ６に移行する。
さらに、ステップＳ３において、現在のモードが撮影モードであると判定された場合、処理はステップＳ７に移行する。
ステップＳ４において、地図表示制御部４８は、入力部１７を介して入力された縮尺、装置情報取得部４７から入力された撮像装置１の現在位置及び現在の方位に基づいて、地図情報ＤＢ５３を参照し、撮像装置１周辺の地図を表示する。
【００３１】
ステップＳ５において、地図表示制御部４８は、入力部１７を介して入力された縮尺が変更されたか否かの判定を行う。
ステップＳ５において、入力部１７を介して入力された縮尺が変更された（ＹＥＳ）と判定された場合、処理はステップＳ４に移行する。
一方、ステップＳ５において、入力部１７を介して入力された縮尺が変更されていない（ＮＯ）と判定された場合、処理はステップＳ２に移行する。
ステップＳ６において、装置管理部４６は、設定されている各種モードに応じて、撮像装置１の設定あるいは各種動作の制御を行う。
ステップＳ６の後、処理はステップＳ２に移行する。
【００３２】
ステップＳ７において、画像表示制御部４５は、撮像部１６から出力される撮像画像のデータに基づいて、ライブビュー画像の表示を行う。
ステップＳ８において、広告表示制御部４４は、広告表示処理（後述）を実行する。このとき、広告表示処理が実行されることにより、ディスプレイの画面領域を分割し、縮小された撮像画像と広告の画像とを異なる領域に表示する形態で、広告が表示される。ライブビュー画像と併せて広告が表示されることで、ユーザにライブビュー画像の確認を可能とさせながら、確実に広告を認識させることができる。
ステップＳ９において、広告表示条件判定部４３は、入力部１７に含まれるシャッターボタンの状態を判定する。具体的には、広告表示条件判定部４３は、シャッターボタンが押されていないか、半押し（ハーフシャッター）の状態であるか、あるいは、全押しの状態であるかを判定する。
【００３３】
ステップＳ９において、シャッターボタンが押されていないと判定された場合、処理はステップＳ２に移行する。
また、ステップＳ９において、シャッターボタンが半押しの状態であると判定された場合、処理はステップＳ１０に移行する。
さらに、ステップＳ９において、シャッターボタンが全押しの状態であると判定された場合、処理はステップＳ１８に移行する。
【００３４】
ステップＳ１０において、撮像制御部４１は、ＡＥ（自動露出制御）あるいはＡＦ（オートフォーカス）等の撮影に関する自動制御を実行する。
ステップＳ１１において、広告表示制御部４４は、広告の表示を消去する。このように、広告を表示した後、シャッターボタンが操作されたタイミングで広告を消去することで、ユーザに煩わしさを感じさせたり、撮影動作及び再生動作を妨げたりすることを抑制することができる。
ステップＳ１２において、画像表示制御部４５は、ステップＳ１０において撮影に関する自動制御が行われた結果の撮像画像（以下、「自動制御結果画像」と呼ぶ）のデータを出力部１８に全画面表示させる。
ステップＳ１３において、画像表示制御部４５は、画像の表示状態を維持するためのタイマーをスタートさせる。
【００３５】
ステップＳ１４において、画像表示制御部４５は、画像の表示状態を維持するためのタイマーが１秒を経過しているか否かの判定を行う。
ステップＳ１４において、画像の表示状態を維持するためのタイマーが１秒を経過していない（ＮＯ）と判定された場合、処理はステップＳ１４に移行する。
一方、ステップＳ１４において、画像の表示状態を維持するためのタイマーが１秒を経過している（ＹＥＳ）と判定された場合、処理はステップＳ１５に移行する。
ステップＳ１５において、広告表示制御部４４は、広告表示処理を実行する。このとき、広告表示処理が実行されることにより、表示された撮像画像（自動制御結果画像）に広告の画像を重畳して表示する形態で、広告が表示される。自動制御結果画像が一定時間表示された後に、撮像画像に広告が重畳して表示されることで、ユーザに自動制御結果画像を容易に確認可能とさせながら、確実に広告を認識させることができる。
【００３６】
ステップＳ１６において、画像表示制御部４５は、画像の表示状態を維持するためのタイマーが広告が表示されてから１秒を経過しているか否かの判定を行う。
ステップＳ１６において、画像の表示状態を維持するためのタイマーが広告が表示されてから１秒を経過していない（ＮＯ）と判定された場合、処理はステップＳ１６に移行する。
一方、ステップＳ１６において、画像の表示状態を維持するためのタイマーが広告が表示されてから１秒を経過している（ＹＥＳ）と判定された場合、処理はステップＳ１７に移行する。
ステップＳ１７において、画像表示制御部４５は、画像の表示状態を維持するためのタイマーをストップする。
ステップＳ１７の後、処理はステップＳ９に移行する。
【００３７】
ステップＳ１８において、撮像制御部４１は、撮影を実行する（即ち、記録用の撮像画像のデータを取得する）。
ステップＳ１９において、広告表示制御部４４は、広告の表示を消去する。このように、広告を表示した後、シャッターボタンが操作されたタイミングで広告を消去することで、ユーザに煩わしさを感じさせたり、撮影動作及び再生動作を妨げたりすることを抑制することができる。
ステップＳ２０において、画像表示制御部４５は、ステップＳ１８において取得された記録用の撮像画像のデータを確認のために出力部１８に全画面表示させる。
ステップＳ２１において、画像表示制御部４５は、画像の表示状態を維持するためのタイマーをスタートさせる。
【００３８】
ステップＳ２２において、画像表示制御部４５は、画像の表示状態を維持するためのタイマーが２秒を経過しているか否かの判定を行う。
ステップＳ２２において、画像の表示状態を維持するためのタイマーが２秒を経過していない（ＮＯ）と判定された場合、処理はステップＳ２２に移行する。
一方、画像の表示状態を維持するためのタイマーが２秒を経過している（ＹＥＳ）と判定された場合、処理はステップＳ２３に移行する。
ステップＳ２３において、広告表示制御部４４は、広告表示処理を実行する。このとき、広告表示処理が実行されることにより、撮像画像から切り替えて広告の画像が全画面表示される。記録用の撮像画像が一定時間表示された後に、広告の画像へ切り替えて表示されることで、ユーザに撮影結果を容易に確認可能とさせながら、確実に広告を認識させることができる。
【００３９】
ステップＳ２４において、画像表示制御部４５は、画像の表示状態を維持するためのタイマーが広告が表示されてから２秒を経過しているか否かの判定を行う。
ステップＳ２４において、画像の表示状態を維持するためのタイマーが広告が表示されてから２秒を経過していない（ＮＯ）と判定された場合、処理はステップＳ２４に移行する。
一方、ステップＳ２４において、画像の表示状態を維持するためのタイマーが広告が表示されてから２秒を経過している（ＹＥＳ）と判定された場合、処理はステップＳ２５に移行する。
ステップＳ２５において、画像表示制御部４５は、画像の表示状態を維持するためのタイマーをストップする。
ステップＳ２５の後、処理はステップＳ２に移行する。
【００４０】
［広告表示処理］
次に、主制御処理のステップＳ８，Ｓ１５，Ｓ２３において、サブフローとして実行される広告表示処理について説明する。
図６は、広告表示処理の流れの一例を示すフローチャートである。
広告表示処理が開始されると、ステップＳ１０１において、広告表示制御部４４は、入力部１７を介して直近に入力された縮尺、装置情報取得部４７から入力された撮像装置１の現在位置に基づいて、広告ＤＢに記憶されている広告の絞り込みを実行する。即ち、広告ＤＢに記憶されている広告には、広告が関連する位置の情報と、広告が表示される地図の階層の情報とが含まれており、これらの情報が、撮像装置１の現在位置及び表示される地図の縮尺から特定される地図の範囲に属するか否かに応じて、広告が絞り込まれる。
【００４１】
ステップＳ１０２において、広告表示制御部４４は、絞り込まれた広告を所定の優先順位に従って、順に表示させる。ここで、所定の優先順位として、広告に付された識別番号の順や、広告が関連する位置と撮像装置１の現在位置との距離の小さい順等を設定することができる。
ステップＳ１０３において、広告表示制御部４４は、入力部１７を介して広告を決定する操作（例えば、決定ボタンの押下等）が行われたか否かの判定を行う。
ステップＳ１０３において、入力部１７を介して広告を決定する操作が行われていない（ＮＯ）と判定された場合、処理は主制御処理に戻る。
一方、ステップＳ１０３において、入力部１７を介して広告を決定する操作が行われている（ＹＥＳ）と判定された場合、処理はステップＳ１０４に移行する。
ステップＳ１０４において、広告表示制御部４４は、表示中の広告のデータを撮像画像のデータと対応付けて記憶する。なお、本実施形態において、広告のデータは、広告を決定する操作が行われた場合にのみ、撮像画像のデータと対応付けて記憶される。ただし、クーポン情報を含む広告のデータ等、広告のデータが特定の属性を有する場合には、自動的に撮像画像のデータと対応付けて広告のデータを記憶することとしてもよい。
ステップＳ１０４の後、処理は主制御処理に戻る。
【００４２】
このような処理により、ライブビュー画像が表示される際に、ライブビュー画像と併せて広告が表示されるため、ユーザにライブビュー画像の確認を可能とさせながら、確実に広告を認識させることができる。
また、自動制御結果画像が表示される際に、自動制御結果画像が一定時間表示された後に、撮像画像に広告が重畳して表示されるため、ユーザに自動制御結果画像を容易に確認可能とさせながら、確実に広告を認識させることができる。
さらに、記録用の撮像画像が表示される際に、記録用の撮像画像が一定時間表示された後に、広告の画像へ切り替えて表示されるため、ユーザに撮影結果を容易に確認可能とさせながら、確実に広告を認識させることができる。
また、撮影モードで広告を表示した後、ユーザがシャッターボタンを操作した際に広告が一時的に消去されるため、適切なタイミングで広告を消去でき、ユーザに煩わしさを感じさせることを抑制することができる。
【００４３】
以上のように構成される撮像装置１は、出力部１８と、広告表示条件判定部４３と、広告表示制御部４４と、画像表示制御部４５とを備える。
出力部１８は、画像を表示する。
広告表示条件判定部４３は、撮影のための操作の状態に基づいて、出力部１８に広告を表示する条件に合致するか否かを判定する。
広告表示制御部４４は、広告表示条件判定部４３の判定結果に基づいて、広告の表示形態を設定する。
画像表示制御部４５は、広告表示制御部４４によって設定された表示形態で、撮影に関連する画像と対応して出力部１８に広告を表示させる。
これにより、撮影のための操作の状態に応じて、所定の表示形態で、撮影に関連する画像と対応して出力部１８に広告を表示することができる。
そのため、撮影のための操作が行われる際に、確実にユーザに広告を認識させることができる。
したがって、情報表示装置のコストを低減するための広告をより効果的に行うことができる。
【００４４】
また、広告表示条件判定部４３は、出力部１８に広告を表示する条件として、撮影を行うためのモードに設定されているか否かを判定する。
広告表示制御部４４は、広告表示条件判定部４３によって撮影を行うためのモードに設定されていると判定された場合に、表示領域を分割し、ライブビュー画像と広告の画像とを異なる表示領域に表示する表示形態に設定する。
これにより、ライブビュー画像と併せて広告が表示されるため、ユーザにライブビュー画像の確認を可能とさせながら、確実に広告を認識させることができる。
【００４５】
また、画像表示制御部４５は、広告表示条件判定部４３によって撮影を行うためのモードに設定されていると判定され、広告表示制御部４４によって表示領域を分割し、ライブビュー画像と広告の画像とを異なる表示領域に表示した後、シャッターボタンが操作されることに応答して、広告を一時的に消去する。
これにより、撮影を行うためのモードで広告を表示した後、適切なタイミングで広告を消去でき、ユーザに煩わしさを感じさせることを抑制することができる。
【００４６】
また、広告表示条件判定部４３は、出力部１８に広告を表示する条件として、撮影を行うためのシャッターボタンが半押しされているか否かを判定する。
広告表示制御部４４は、広告表示条件判定部４３によって撮影を行うためのシャッターボタンが半押しされていると判定された場合に、表示された撮像画像に重畳して、広告の画像を表示する表示形態に設定する。
これにより、自動制御による結果の画像が表示された後に広告が重畳して表示されるため、ユーザに自動制御による結果の画像を容易に確認可能とさせながら、確実に広告を認識させることができる。
【００４７】
また、広告表示条件判定部４３は、出力部１８に広告を表示する条件として、撮影を行うためのシャッターボタンが全押しされているか否かを判定する。
広告表示制御部４４は、広告表示条件判定部４３によって撮影を行うためのボタンが全押しされていると判定された場合に、撮像画像と広告の画像とを切り替えて表示する表示形態に設定する。
これにより、記録用の撮像画像と広告の画像とが切り替えて表示されるため、ユーザに撮影結果を容易に確認可能とさせながら、確実に広告を認識させることができる。
【００４８】
また、撮像装置１は、出力部１８と、入力部１７と、広告表示制御部４４と、広告表示条件判定部４３と、画像表示制御部４５とを備える。
出力部１８は、画像を表示する。
入力部１７には、撮影のための操作が行われる。
広告表示制御部４４は、出力部１８に広告を表示させる。
広告表示条件判定部４３は、入力部１７によって撮影のための操作が行われたか否かを判定する。
画像表示制御部４５は、広告が表示されている最中に、広告表示条件判定部４３によって撮影のための操作が行われたと判定された場合に、広告を一時的に消去する。
これにより、広告を表示した後、適切なタイミングで広告を消去でき、ユーザに煩わしさを感じさせたり、撮影動作及び再生動作を妨げたりすることを抑制することができる。
【００４９】
なお、本発明は、上述の実施形態に限定されるものではなく、本発明の目的を達成できる範囲での変形、改良等は本発明に含まれるものである。
【００５０】
上述の実施形態では、入力された地図の縮尺及び撮像装置１の現在位置に基づいて、表示する広告を絞り込むものとしたが、これに限られない。即ち、撮像装置１の現在の方位、撮像装置１の機種（高級モデルであるか、汎用モデルであるか等）、あるいは、設定された撮影シーンのモードの内容等を加味して、これらに適合する属性の広告にさらに絞り込むこととしてもよい。例えば、撮像装置１が向いている方位付近に位置が対応づけられている広告に絞り込んだり、撮像装置１の機種が高級モデルである場合には、高級品の広告に絞り込んだり、設定された撮影シーンのモードの内容がスポーツ撮影に適合している場合には、スポーツ用品の広告に絞り込んだりすることができる。
【００５１】
また、上述の実施形態では、広告を表示させる際の優先順位として、広告に付された識別番号の順や、広告が関連する位置と撮像装置１の現在位置との距離の小さい順を例に挙げたが、これに限られない。即ち、広告を絞り込んだ条件を利用し、その条件により適合する順で広告を表示することとしてもよい。例えば、広告が関連する位置が、撮像装置１が向いている方位により近い順で広告を表示することができる。また、撮像装置１の機種が高級モデルである場合には、より高級な商品等の順で広告を表示したり、設定された撮影シーンのモードの内容がスポーツ撮影に適合している場合には、スポーツ用品の広告を優先して広告を表示したりすることができる。
【００５２】
また、上述の実施形態では、本発明が適用される撮像装置１は、デジタルカメラを例として説明したが、特にこれに限定されない。
例えば、本発明は、撮像機能を有する電子機器一般に適用することができる。具体的には、例えば、本発明は、ノート型のパーソナルコンピュータ、ビデオカメラ、携帯電話機、スマートフォン、ポータブルゲーム機等に適用可能である。
【００５３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００５４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００５６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００５７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００５８】
以下に、本願の出願当初の特許請求の範囲に記載された発明を付記する。
［付記１］
画像を表示する表示手段と、
撮影のための操作の状態に基づいて、前記表示手段に広告を表示する条件に合致するか否かを判定する広告表示条件判定手段と、
前記広告表示条件判定手段の判定結果に基づいて、前記広告の表示形態を設定する広告表示制御手段と、
前記広告表示制御手段によって設定された表示形態で、撮影に関連する画像と対応して前記表示手段に広告を表示させる画像表示制御手段と、
を備えることを特徴とする情報表示装置。
［付記２］
前記広告表示条件判定手段は、前記表示手段に広告を表示する条件として、撮影を行うためのモードに設定されているか否かを判定し、
前記広告表示制御手段は、前記広告表示条件判定手段によって撮影を行うためのモードに設定されていると判定された場合に、表示領域を分割し、ライブビュー画像と広告の画像とを異なる表示領域に表示する表示形態に設定することを特徴とする付記１に記載の情報表示装置。
［付記３］
前記画像表示制御手段は、前記広告表示条件判定手段によって撮影を行うためのモードに設定されていると判定され、前記広告表示制御手段によって表示領域を分割し、ライブビュー画像と広告の画像とを異なる表示領域に表示した後、シャッターボタンが操作されることに応答して、広告を一時的に消去することを特徴とする付記２に記載の情報表示装置。
［付記４］
前記広告表示条件判定手段は、前記表示手段に広告を表示する条件として、撮影を行うためのシャッターボタンが半押しされているか否かを判定し、
前記広告表示制御手段は、前記広告表示条件判定手段によって撮影を行うためのシャッターボタンが半押しされていると判定された場合に、表示された撮像画像に重畳して、広告の画像を表示する表示形態に設定することを特徴とする付記１から３のいずれか１つに記載の情報表示装置。
［付記５］
前記広告表示条件判定手段は、前記表示手段に広告を表示する条件として、撮影を行うためのシャッターボタンが全押しされているか否かを判定し、
前記広告表示制御手段は、前記広告表示条件判定手段によって撮影を行うためのボタンが全押しされていると判定された場合に、撮像画像と広告の画像とを切り替えて表示する表示形態に設定することを特徴とする付記１から４のいずれか１つに記載の情報表示装置。
［付記６］
画像を表示する表示手段と、
撮影のための操作を行う入力手段と、
前記表示手段に広告を表示させる表示制御手段と、
前記入力手段によって撮影のための操作が行われたか否かを判定する操作判定手段と、
を備え、
前記表示制御手段は、広告が表示されている最中に、前記操作判定手段によって撮影のための操作が行われたと判定された場合に、広告を一時的に消去することを特徴とする情報表示装置。
［付記７］
画像を表示する表示手段を備える情報表示装置に用いられる情報表示方法であって、
撮影のための操作の状態に基づいて、前記表示手段に広告を表示する条件に合致するか否かを判定する広告表示条件判定ステップと、
前記広告表示条件判定ステップにおける判定結果に基づいて、前記広告の表示形態を設定する広告表示制御ステップと、
前記広告表示制御ステップにおいて設定された表示形態で、撮影に関連する画像と対応して前記表示手段に広告を表示させる画像表示制御ステップと、
を含むことを特徴とする情報表示方法。
［付記８］
画像を表示する表示手段を備える情報表示装置に用いられるコンピュータに、
撮影のための操作の状態に基づいて、前記表示手段に広告を表示する条件に合致するか否かを判定する広告表示条件判定機能と、
前記広告表示条件判定機能の判定結果に基づいて、前記広告の表示形態を設定する広告表示制御機能と、
前記広告表示制御機能によって設定された表示形態で、撮影に関連する画像と対応して前記表示手段に広告を表示させる画像表示制御機能と、
を実現させることを特徴とするプログラム。
【符号の説明】
【００５９】
１・・・撮像装置、１１・・・ＣＰＵ、１２・・・ＲＯＭ、１３・・・ＲＡＭ、１４・・・バス、１５・・・入出力インターフェース、１６・・・撮像部、１７・・・入力部、１８・・・出力部、１９・・・記憶部、２０・・・測位部、２１・・・方位検出部、２２・・・通信部、２３・・・ドライブ、３１・・・リムーバブルメディア、４１・・・撮像制御部、４２・・・画像取得部、４３・・・広告表示条件判定部、４４・・・広告表示制御部、４５・・・画像表示制御部、４６・・・装置管理部、４７・・・装置情報取得部、４８・・・地図表示制御部、５１・・・取得画像記憶部、５２・・・広告ＤＢ、５３・・・地図情報ＤＢ
【図１】
2015162048.tif 000003
【図２】
2015162048.tif 000004
【図３】
2015162048.tif 000005
【図４】
2015162048.tif 000006
【図５】
2015162048.tif 000007
【図６】
2015162048.tif 000008